(57)【要約】【課題】最終破断面内の開封動作による回動軸線に沿って最終破断面を屈曲して複数の部分に分離可能に構成された収容箱において、最終破断線のミシン目の接続部の強度を小さくすることなく、最終破断線の破断を容易とし、開封作業の効率化を図ることが可能な収容箱を提供すること。【解決手段】最終破断線が複数の接続部を有するミシン目からなり、複数の接続部が回動軸線に平行な方向に直線状に整列しない位置に設けられた接続部を含むこと。【選択図】図１
2018118760.tif 000002
【特許請求の範囲】
【請求項１】
所定の１面が最終破断線を有する最終破断面で構成され、
前記最終破断面内の開封動作による回動軸線に沿って前記最終破断面を屈曲して複数の部分に分離可能に構成された収容箱であって、
前記最終破断線が、複数の接続部を有するミシン目からなり、
前記複数の接続部が、前記回動軸線上に整列しない位置に設けられた接続部を含むことを特徴とする収容箱。
【請求項２】
前記回動軸線上に整列しない位置に設けられた複数の接続部が、前記回動軸線と平行な直線上に整列して設けられた接続部を含むこと特徴とする請求項１に記載の収容箱。
【請求項３】
前記最終破断線が、波線状に形成されていることを特徴とする請求項１または請求項２に記載の収容箱。
【請求項４】
前記最終破断線の複数の接続部の一部または全部が、前記最終破断線の中間点を境として両側に対称に設けられていることを特徴とする請求項１乃至請求項３のいずれかに記載の収容箱。
【請求項５】
前記最終破断線から離れた位置に破断開始部を有し、
前記最終破断線の両端から、それぞれ、前記破断開始部まで連続する中間破断線を有することを特徴とする請求項１乃至請求項４のいずれかに記載の収容箱。
【請求項６】
前記中間破断線が、波線状に形成されていることを特徴とする請求項５に記載の収容箱。
【請求項７】
前記最終破断線の両端から、それぞれ、前記最終破断線の両端部を結ぶ複数の除去破断線を有し、
前記複数の除去破断線に囲まれた除去部を有することを特徴とする請求項１乃至請求項４のいずれかに記載の収容箱。
【発明の詳細な説明】
【技術分野】
【０００１】
本発明は、所定の１面が最終破断線を有する最終破断面で構成され、最終破断面内の開封動作による回動軸線に沿って最終破断面を屈曲して複数の部分に分離可能に構成された収容箱に関する。
【背景技術】
【０００２】
従来から、物品を収容する収容箱で、物品を収容した状態で箱の一部を分離し、そのまま展示、陳列可能とした収容箱が公知である。
例えば、収容箱の四方の側面を周方向に横切るミシン目を設け、前面からミシン目にそって背面まで破断することで、収容箱の上部を分離除去し、収容箱の下部を展示用の箱として利用するものが公知である（特許文献１等参照。）。
また、収容箱の上部を分離除去し、収容箱の下部を展示用の箱として利用する収容箱で、ミシン目の一部を上面と側面の折線部に設けたものも公知である（特許文献２等参照。）。
さらに、収容箱の対向する側面と上面の中央部分を破断あるいは除去し、底面を屈曲することで、底面の屈曲部の両側を上方が開口した展示用の箱として利用するものも公知である（特許文献３等参照。）。
【先行技術文献】
【特許文献】
【０００３】
【特許文献１】特開平１０−００１１３３号公報
【特許文献２】実用新案登録第３１９７４０８号公報
【特許文献３】実用新案登録第３１９７４８８号公報
【発明の概要】
【発明が解決しようとする課題】
【０００４】
これらの収容箱は、簡単に開封作業が行えるものではあるが、開封作業を連続して行う場合もあるため、開封作業のさらなる効率化が望まれている。
特に、最後に分離する箇所の最終破断線、特許文献１の実施形態においては「後面のミシン目１３」、特許文献２の第１、第２の実施形態においては「端壁３と天壁６の境界の切目線１２ｄ」及び特許文献３の実施形態においては「底部折り曲げ線２５」は、分離の際に、最終破断面が開封動作による回動軸線であるミシン目に沿って屈曲し、その面から垂線方向に引く動作となるため、ミシン目の破断のためには異なる方向に捻る動作を行う必要があり、さらなる効率化を妨げる要因となっていた。
これらの最終破断線のミシン目の接続部の強度を小さくして、捻る動作を少なくして破断を容易とすることも考えられるが、梱包作業中や輸送中に予期せぬ破断が発生する虞があり、ミシン目の接続部の強度を小さくするには限界があった。
【０００５】
そこで本発明は、最終破断面内の開封動作による回動軸線に沿って最終破断面を屈曲して複数の部分に分離可能に構成された収容箱において、最終破断線のミシン目の接続部の強度を小さくすることなく、最終破断線の破断を容易とし、開封作業の効率化を図ることが可能な収容箱を提供することを目的とする。
【課題を解決するための手段】
【０００６】
本発明は、所定の１面が最終破断線を有する最終破断面で構成され、前記最終破断面内の開封動作による回動軸線に沿って前記最終破断面を屈曲して複数の部分に分離可能に構成された収容箱であって、前記最終破断線が、複数の接続部を有するミシン目からなり、前記複数の接続部が、前記回動軸線上に整列しない位置に設けられた接続部を含むことより、前記課題を解決するものである。
【発明の効果】
【０００７】
本請求項１に係る発明の収容箱によれば、最終破断線が複数の接続部を有するミシン目からなり、複数の接続部が回動軸線上に直線状に整列しない位置に設けられた接続部を含むことにより、開封動作の最終破断面を屈曲させる動作時に、当該屈曲の回動軸線上にない接続部が屈曲動作のみで引っ張られて破断するため、屈曲動作のみで破断していない接続部の数を少なくすることができる。
このことで、分離部分を屈曲動作に連続して引くだけで残った接続部を破断することができ、最終破断線のミシン目の接続部の強度を小さくすることなく、また、捻る動作等を加えることなく、最終破断線を容易に破断して収容箱を複数の部分に分離することが可能となり、開封作業の効率化を図ることができる。
【０００８】
本請求項２に記載の構成によれば、回動軸線上に整列しない位置に設けられた複数の接続部が、回動軸線と平行な直線上に整列して設けられた接続部を含むことで、製造時の誤差や作業者の開封時の力加減等の影響で、本来想定した回動軸線で屈曲しない場合であっても、他の接続部が整列して設けられた回動軸線と平行な直線が、実際の回動軸線となり、同様の破断動作を行うことができ、最終破断線を容易に破断して収容箱を複数の部分に分離することが可能となり、開封作業の効率化を図ることができる。
本請求項３に記載の構成によれば、最終破断線が、波線状に形成されていることにより、波線の異なる位置に接続部を形成することで、回動軸線に平行な方向に直線状に整列しない位置に設けられた接続部を容易に設けることができる。
本請求項４に記載の構成によれば、最終破断線の複数の接続部の一部または全部が、最終破断線の中間点を境として両側に対称に設けられていることにより、中央付近を力点とすることで、最終破断線の複数の接続部が左右対称に破断しやすくなり、作業者が片手で作業を行った場合でも安定して開封することが可能となり、さらに開封作業の効率化を図ることができる。
【０００９】
本請求項５、本請求項６に記載の構成によれば、最終破断線から離れた位置に破断開始部を有し、最終破断線の両端から、それぞれ、破断開始部まで連続する中間破断線を有することにより、作業者が収容箱を複数の部分に分離する際に、破断の開始から最終的に分離するまでを一連の動作で行うことが可能となり、さらに開封作業の効率化を図ることができる。
本請求項７に記載の構成によれば、除去部を取り除いた後に除去部の両側を分離する収容箱においても、最終破断線のミシン目の接続部の強度を小さくすることなく、また、捻る動作等を加えることなく、屈曲する動作で最終破断線を容易に破断して収容箱を複数の部分に分離することが可能となり、開封作業の効率化を図ることができる。
【図面の簡単な説明】
【００１０】
【図１】本発明の第１実施形態である収容箱の展開図。
【図２】本発明の第１実施形態である収容箱の前面上方からの斜視図。
【図３】本発明の第１実施形態である収容箱の背面下方からの斜視図。
【図４】本発明の第１実施形態である収容箱の開封時の斜視図。
【図５】最終破断線の接続部の屈曲による破断の説明図。
【図６】本発明の第２実施形態である収容箱の展開図。
【図７】本発明の第２実施形態である収容箱の前面上方からの斜視図。
【図８】本発明の第２実施形態である収容箱の背面下方からの斜視図。
【図９】本発明の第２実施形態である収容箱の開封時の斜視図。
【図１０】本発明の第３実施形態である収容箱の展開図。
【図１１】本発明の第３実施形態である収容箱の前面上方からの斜視図。
【図１２】本発明の第３実施形態である収容箱の背面下方からの斜視図。
【図１３】本発明の第３実施形態である収容箱の開封開始時の斜視図。
【図１４】本発明の第３実施形態である収容箱の開封時の斜視図。
【発明を実施するための形態】
【実施例１】
【００１１】
本発明の第１実施形態である収容箱１００は図２、図３に示すような箱型に形成されて内容物を収容するものであり、図１に示すような段ボールのブランク材１１０から形成される。
なお、図２乃至図５においては、説明のために折目線、破断線（ミシン目）ともに実線で示した。
このブランク材１１０は、収容箱１００の上面を形成する上面板１１２、前面を形成する前面板１１１、底面を形成する底面板１１４、背面を形成する背面板１１３及び組立時に上面板１１２と接着する継代片１１９が順次連設して設けられている。
また、上面板１１２、前面板１１１、底面板１１４及び背面板１１３のそれぞれの両側方には、組立時に折り曲げて接着することで側面を形成する、上側面フラップ１１６、前側面フラップ１１５、底側面フラップ１１８及び背側面フラップ１１７がそれぞれ設けられている。
【００１２】
前面板１１１、両方の前側面フラップ１１５、背面板１１３及び両方の背側面フラップ１１７には、収容箱１００を複数の部分に分離するための複数の接続部を除いて切り込みが設けられた破断線（ミシン目）が形成されている。
前面板１１１には前面破断線１２３及び初期破断線１２４を有し、両方の前側面フラップ１１５及び両方の背側面フラップ１１７には中間破断線１２２有し、背面板１１３には最終破断線１２１を有し、図２及び図３に示すように、収容箱１００が組み立てられた際に、前面破断線１２３、初期破断線１２４、中間破断線１２２及び最終破断線１２１が全周に渡って一連の破断線となるように形成されている。
【００１３】
前面板１１１には、幅方向中央付近に設けられた初期破断線１２４と、両側の前面破断線１２３と連なる初期折目線１３３とによって囲まれた初期押込部１３６が設けられている。
また、初期破断線１２４の両側の前面破断線１２３のそれぞれの中間部から前面板１１１の上端角部に向けて、それぞれ、前面補助折目線１３２が設けられている。
前面破断線１２３、中間破断線１２２及び最終破断線１２１は波線状に形成されており、ミシン目の複数の接続部は、波の高さの異なる位置に設けられたものを含むように形成されている。
【００１４】
以上のように構成された収容箱１００を、作業者が開封して複数の部分に分離する際の動作について説明する。
まず、作業者が、前面板１１１の初期破断線１２４と初期折目線１３３の間の初期押込部１３６を押し込むことにより、初期破断線１２４の接続部が破断し初期折目線１３３が屈曲して、作業者が手指を差し込んで開封するための手持ち部分が形成される。
次に、作業者が手持ち部分を上方に持ち上げる動作を行うと、まず、前面補助折目線１３２が屈曲して、初期折目線１３３が前方に突出する力が発生し、初期破断線１２４の両側の前面破断線１２３の接続部が中間破断線１２２に向かって順次破断していく。
さらに、作業者が手持ち部分を上方に持ち上げる動作により、中間破断線１２２の接続部が最終破断線１２１に向かって順次破断していく。
【００１５】
さらに作業者が手持ち部分を上方に持ち上げる動作を続けることで、波線状の最終破断線１２１のいずれかの高さ位置を回動軸線として屈曲する動作に円滑に変化する。
この時、複数の接続部が、回動軸線上に整列しない位置に設けられた接続部を含むことから、回動軸線上にない接続部は、作業者が手持ち部分を上方に持ち上げる動作を続ける動作からの一連の動作のみで、捻る動作等を加えることなく順次破断し、図４に示す状態から、一連の動作に連続してわずかな力で引くことで、最後にわずかに残った回動軸線上の接続部が破断し、収容箱１００が完全に２つに分離される。
【００１６】
最終破断線１２１の接続部１３１の破断の動作について、図５を基に詳細に説明する。
最終破断線１２１は、８つの接続部１３１ａ乃至１３１ｈを有する波線状のミシン目で形成されており、中央線ＣＬを境に左右対称に形成されている。
接続部１３１ａと１３１ｈ、１３１ｂと１３１ｇ、１３１ｃと１３１ｆ、１３１ｄと１３１ｅの４組は、左右対称な位置に設けられ、それぞれの組が波線状の異なる４つの高さ位置に設けられている。
このことで、作業者が手持ち部分を上方に持ち上げる動作から連続する屈曲させる動作の際に、（１）乃至（４）のいずれかに示すように、接続部１３１のいずれかの組の高さ位置が実際の回動軸線ＢＬとなって屈曲することで、回動軸線ＢＬ上にない接続部１３１は前後に引っ張られることとなり、作業者による一連の動作のみで容易に破断する。
そして、最後には２つの接続部１３１のみが残ることとなり、作業者による一連の動作の最後に僅かに引っ張ることで容易に破断し、収容箱１００を完全に２つに分離することが可能となる。
【００１７】
なお、本実施形態では、展示に使用する際の意匠的な美観を向上させるため、前面破断線１２３及び中間破断線１２２も波線状に形成したが、前面破断線１２３及び中間破断線１２２は他の曲線、直線、折れ線等いかなる形状であってもよい。
また、収容箱としての機能や強度に応じて、初期押込部１３６を最初から孔に形成しておいてもよく、前面破断線１２３及び中間破断線１２２についても、一部をスリットで形成してもよい。
さらに、底側面フラップ１１８に中間破断線１２２と重なる破断線を設け、前面板１１１及び背面板１１３のいずれかあるいは両方が、さらに低い位置で分離するようにしてもよい。
【実施例２】
【００１８】
本発明の第２実施形態である収容箱２００は、図７、図８に示すような箱型に形成されて内容物を収容するものであり、図６に示すような段ボールのブランク材２１０から形成される。
なお、図７乃至図９においては、説明のために折目線、破断線（ミシン目）ともに実線で示した。
このブランク材２１０は、収容箱２００の前面を形成する前面板２１１、上面を形成する上面板２１２、背面を形成する背面板２１３、底面を形成する底面板２１４及び組立時に前面板２１１と接着する継代片２１９が順次連設して設けられている。
また、前面板２１１、上面板２１２、背面板２１３及び底面板２１４のそれぞれの両側方には、組立時に折り曲げて接着することで側面を形成する、前側面フラップ２１５、上側面フラップ２１６、背側面フラップ２１７及び底側面フラップ２１８がそれぞれ設けられている。
【００１９】
前面板２１１、上面板２１２及び背面板２１３には、第２除去部２３５を分離するための２本の除去破断線２２５（ミシン目）が形成され、底面板２１４及び継代片２１９には最終破断線２２１が形成されている。
２本の除去破断線２２５は、上面板２１２においては前面板２１１と背面板２１３を結んで平行に設けられ、前面板２１１及び背面板２１３においては、それぞれ端部が最終破断線２２１に向かって連なるように形成されている。
上面板２１２には、幅方向中央付近に設けられ、２本の除去破断線２２５を結び、第１除去部２３４を分離するための２本の初期破断線２２４が設けられている。
第１除去部２３４には、中央に２本の初期破断線２２４を結ぶ切れ目２２６が設けられている。
最終破断線２２１は波線状に形成されており、ミシン目の複数の接続部は、波の高さの異なる位置に設けられたものを含むように形成されている。
【００２０】
以上のように構成された収容箱２００を、作業者が開封して複数の部分に分離する際の動作について説明する。
まず、作業者が、上面板２１２の第１除去部２３４の切れ目２２６から手指等を差し込んで上方に引くことで、初期破断線２２４を破断して第１除去部２３４を分離、除去する。
次に、第１除去部２３４が除去された空間から手指等を差し込んで、両側の第２除去部２３５をそれぞれ上方に引くことで、除去破断線２２５を破断して第２除去部２３５を分離、除去する。
最後に、第１除去部２３４及び第２除去部２３５が分離、除去された収容箱２００の底面板２１４を二つ折りにするように屈曲させる。
この時、波線状の最終破断線２２１の複数の接続部が、回動軸線上に整列しない位置に設けられた接続部を含むことから、回動軸線上にない接続部は、作業者が底面板２１４を二つ折りにする動作のみで、捻る動作等を加えることなく順次破断し、図９に示す状態からわずかな力で引くことで、最後にわずかに残った回動軸線上の接続部が破断し、収容箱２００が完全に２つに分離される。
最終破断線２２１の接続部の破断の動作は、図５で説明した前述した第１実施形態と同様である。
【実施例３】
【００２１】
本発明の第３実施形態である収容箱３００は図１１、図１２に示すような箱型に形成されて内容物を収容するものであり、図１０に示すような段ボールのブランク材３１０から形成される。
なお、図１１乃至図１４においては、説明のために折目線、破断線（ミシン目）ともに実線で示した。
このブランク材３１０は、収容箱３００の背面を形成する背面板３１３、第１側面を形成する第１側面板３１４、前面を形成する前面板３１１、第２側面を形成する第２側面３１５及び組立時に背面板３１３と接着する継代片３１９が順次連設して設けられている。
背面板３１３、第１側面板３１４、前面板３１１及び第２側面３１５のそれぞれの下方には、折り曲げて組み合わせることで底面を形成する底面フラップ３１８が設けられている。
また、第１側面板３１４の上方には上面を形成する上面板３１２が設けられ、背面板３１３、前面板３１１及び第２側面３１５のそれぞれの上方には、上面フラップ３１６が設けられている。
上面板３１２には、組み立て時に第２側面３１５の上方に設けられた差込スリット３２０に差し込まれる上面差込片３１７が設けられている。
【００２２】
前面板３１１には、幅いっぱいに前面開口部３３６が設けられており、この前面開口部３３６の両側から連なるように、第１側面板３１４、背面板３１３及び第２側面３１５に収容箱３００を複数の部分に分離するための複数の接続部を除いて切り込みが設けられた破断線（ミシン目）が形成されている。
第１側面板３１４及び第２側面３１５には中間破断線３２２有し、背面板３１３には最終破断線３２１を有し、図１１及び図１２に示すように、収容箱３００が組み立てられた際に、前面開口部３３６、中間破断線３２２及び最終破断線３２１が全周に渡って一連の開口部及び破断線となるように形成されている。
また、継代片３１９には、背面板３１３と接着した際に最終破断線３２１と重なるように継代破断線３２５が設けられている。
前面板３１１には、前面開口部３３６の上方中央付近の２箇所から前面板３１１の上端角部に向けて、それぞれ、前面補助折目線３３２が設けられている。
中間破断線３２２、継代破断線３２５及び最終破断線３２１は波線状に形成されており、ミシン目の複数の接続部は、波の高さの異なる位置に設けられたものを含むように形成されている。
【００２３】
以上のように構成された収容箱３００を、作業者が開封して複数の部分に分離する際の動作について説明する。
まず、作業者が、前面板３１１の前面開口部３３６の上方中央付近を把持し、上方に持ち上げる動作を行うと、図１３に示すように、前面補助折目線３３２が屈曲して、前面板３１１の前面開口部３３６の上方中央付近が前方に突出し、第１側面板３１４及び第２側面３１５が内方に引っ張られる力が発生する。
この力によって、中間破断線３２２の接続部が最終破断線３２１に向かって順次破断していく。
【００２４】
さらに作業者が上方に持ち上げる動作を続けることで、波線状の最終破断線３２１のいずれかの高さ位置を回動軸線として屈曲する動作に円滑に変化する。
この時、複数の接続部が、回動軸線上に整列しない位置に設けられた接続部を含むことから、回動軸線上にない接続部は、作業者が手持ち部分を上方に持ち上げる動作を続ける動作からの一連の動作のみで、捻る動作等を加えることなく順次破断し、図１４に示す状態から、一連の動作に連続してわずかな力で引くことで、最後にわずかに残った回動軸線上の接続部が破断し、収容箱３００が完全に２つに分離される。
最終破断線３２１の接続部の破断の動作は、図５で説明した前述した第１実施形態と同様である。
【００２５】
本実施形態では、背面板３１３の側方に継代片３１９が接着され重なっており、他の部分よりも破断に力が必要となることから、この重複部分の継代破断線３２５及び最終破断線３２１のミシン目は、他の部分よりも接続部が少なくなるように構成され、最終破断線３２１の複数の接続部は、重複部分を除いて中間点を境として両側に左右対称に設けられている。
また、本実施形態では、展示に使用する際の意匠的な美観を向上させるため、中間破断線３２２も波線状に形成したが、中間破断線３２２は他の曲線、直線、折れ線等いかなる形状であってもよい。
また、収容箱としての機能や強度に応じて、前面開口部３３６を適宜の大きさとし、幅いっぱいに設けない場合は、前面板３１１に、前面開口部３３６から中間破断線３２２に連なる破断線あるいはスリットを形成してもよい。
【００２６】
各実施形態の収容箱１００、２００、３００の最終破断線１２１、２２１、３２１は、曲線による波線状に形成されているが、ミシン目が屈曲時の回動軸線に平行な方向に直線状に整列しない位置に設けられた接続部を含むように形成されていれば、三角波状、台形波状、矩形波状、鋸刃状であってもよく、両端に渡って単一の曲線状のものや、傾斜直線状のものであってもよく、それらを適宜組合せた形状であってもよい。
また、上記各実施形態の収容箱１００、２００、３００のブランク材１１０、２１０、３１０は、段ボールで形成されているが、その紙質はいかなるものであってもよく、種々のコーティングが行われたもの、紙以外の樹脂等で形成されたものであってもよい。
さらに、上記第１、第２実施形態の各フラップや継代片は、収容箱１００、２００に組み立てる際に接着されて固定されるが、止め金具等で固定してもよく、差し込み構造等を採用して固定してもよい。
【符号の説明】
【００２７】
１００、２００、３００  ・・・  収容箱
１１０、２１０、３１０  ・・・  ブランク材
１１１、２１１、３１１  ・・・  前面板
１１２、２１２、３１２  ・・・  上面板
１１３、２１３、３１３  ・・・  背面板
１１４、２１４          ・・・  底面板
３１４  ・・・  第１側面板
３１５  ・・・  第２側面板
１１５、２１５          ・・・  前側面フラップ
１１６、２１６          ・・・  上側面フラップ
３１６  ・・・  上面フラップ
１１７、２１７          ・・・  背側面フラップ
３１７  ・・・  上面差込片
１１８、２１８          ・・・  底側面フラップ
３１８  ・・・  底面フラップ
１１９、２１９、３１９  ・・・  継代片
３２０  ・・・  差込スリット
１２１、２２１、３２１  ・・・  最終破断線
１２２、        ３２２  ・・・  中間破断線
１２３                  ・・・  前面破断線
１２４、２２４          ・・・  初期破断線
２２５          ・・・  除去破断線
３２５  ・・・  継代破断線
２２６          ・・・  切れ目
１３１                  ・・・  接続部
１３２、        ３３２  ・・・  前面補助折目線
１３３                  ・・・  初期折目線
２３４          ・・・  第１除去部
２３５          ・・・  第２除去部
１３６                  ・・・  初期押込部
３３６  ・・・  前面開口部
ＢＬ                  ・・・  回動軸線
ＣＬ                  ・・・  中央線
【図１】
2018118760.tif 000003
【図２】
2018118760.tif 000004
【図３】
2018118760.tif 000005
【図４】
2018118760.tif 000006
【図５】
2018118760.tif 000007
【図６】
2018118760.tif 000008
【図７】
2018118760.tif 000009
【図８】
2018118760.tif 000010
【図９】
2018118760.tif 000011
【図１０】
2018118760.tif 000012
【図１１】
2018118760.tif 000013
【図１２】
2018118760.tif 000014
【図１３】
2018118760.tif 000015
【図１４】
2018118760.tif 000016